(57)【特許請求の範囲】
【請求項１】
音声コイル、サラウンドサスペンション部、および振動板を有するラウドスピーカ変換器に用いられるラウドスピーカ磁石組立体であって、前記ラウドスピーカ磁石組立体は、
第１の磁石組立体と、前記第１の磁石組立体の下方に位置する上板と、前記上板の下方に位置する第２の磁石組立体と、前記第２の磁石組立体の下方に位置する底板と、を備えており、
前記第１の磁石組立体は、
外径およびそれ自体の内側の中空円形中心を画定する内径を有する環状外側磁石であって、前記第１の磁石組立体の前記環状外側磁石は、前記音声コイルからの回路用電線を前記第１の磁石組立体から外部に通すように構成された少なくとも１つのチャネルを含む、環状外側磁石と、
前記環状外側磁石の内径よりも短い直径を有しており、前記環状外側磁石の前記中空円形中心と同心円状に位置する円形内側磁石であって、その直径と前記環状外側磁石の内径との長さの違いが、環状の第１の磁石組立体の空隙を画定する円形内側磁石と、を含み、
前記上板は、
外径およびそれ自体の内側の中空円形中心を画定する内径を有する環状外側上板と、
前記環状外側上板の内径よりも短い直径を有しており、前記環状外側上板の前記中空円形中心と同心円状に位置する円形内側上板であって、その直径と前記環状外側上板の内径との長さの違いが、環状上板の空隙を画定する円形内側上板と、を含み、
前記第２の磁石組立体は、
外径およびそれ自体の内側の中空円形中心を画定する内径を有する環状外側磁石と、
前記環状外側磁石の内径よりも短い直径を有しており、前記環状外側磁石の前記中空円形中心と同心円状に位置する円形内側磁石であって、その直径と前記環状外側磁石の内径との長さの違いが、環状の第２の磁石組立体の空隙を画定する円形内側磁石と、を含み、
前記第１の磁石組立体の前記円形内側磁石の直径が、前記円形内側上板および前記第２の磁石組立体の前記円形内側磁石の直径と一致することにより、前記第１の磁石組立体の空隙、前記上板の空隙、および前記第２の磁石組立体の空隙が一列に位置し、磁石空隙を画定し、
前記磁石空隙は前記音声コイルを受け入れるように構成されている、ラウドスピーカ磁石組立体。
【請求項２】
前記磁石空隙は前記底板に保護された空隙底部を含む、請求項１に記載のラウドスピーカ磁石組立体。
【請求項３】
前記底板は周囲を有する円形であり、前記底板はその外周から内側に延伸する放射状に配置された１つ以上の底板スロットを含む、請求項２に記載のラウドスピーカ磁石組立体。
【請求項４】
前記底板スロットは前記磁石空隙への物理的アクセスとなる、請求項３に記載のラウドスピーカ磁石組立体。
【請求項５】
前記第１の磁石組立体の前記環状外側磁石は、少なくとも２つの分割環状外側磁石に分割され、前記分割環状外側磁石各々の端部により、前記少なくとも１つのチャネルが少なくとも２つのチャネルに画定される、請求項１に記載のラウドスピーカ磁石組立体。
【請求項６】
前記上板は鉄、鋼鉄、または他の透水性材料から構成されている、請求項１に記載のラウドスピーカ磁石組立体。
【請求項７】
前記第２の磁石組立体の前記外側磁石および前記円形内側磁石は永久磁石である、請求項１に記載のラウドスピーカ磁石組立体。
【請求項８】
前記第１の磁石組立体の前記環状外側磁石は、前記サラウンドサスペンション部の外端に取り付けられるように構成されている、請求項１に記載のラウドスピーカ磁石組立体。
【請求項９】
音声コイル、サラウンドサスペンション部、および振動板を有するラウドスピーカ変換器に用いられるラウドスピーカ磁石組立体であって、前記ラウドスピーカ磁石組立体は、
第１の磁石組立体と、前記第１の磁石組立体の下方に位置する上板と、前記上板の下方に位置する第２の磁石組立体と、前記第２の磁石組立体の下方に位置し、中心穴が形成された底板と、前記底板、前記第２の磁石組立体の円形内側磁石、円形内側上板、および前記第１の磁石組立体の円形内側磁石の中心穴に嵌るように構成されたプラグと、を備えており、
前記第１の磁石組立体は、
外径およびそれ自体の内側の中空円形中心を画定する内径を有する環状外側磁石と、
前記環状外側磁石の内径よりも短い直径を有しており、前記環状外側磁石の前記中空円形中心と同心円状に位置する前記円形内側磁石であって、その直径と前記環状外側磁石の内径との長さの違いが、環状の第１の磁石組立体の空隙を画定し、中心穴が形成された円形内側磁石と、を含み、
前記第１の磁石組立体の前記環状外側磁石は、前記音声コイルからの回路用電線を前記第１の磁石組立体から外部に通すように構成された少なくとも１つのチャネルを含み、
前記上板は、
外径およびそれ自体の内側の中空円形中心を画定する内径を有する環状外側上板と、
前記環状外側上板の内径よりも短い直径を有しており、前記環状外側上板の前記中空円形中心と同心円状に位置する前記円形内側上板であって、その直径と前記環状外側上板の内径との長さの違いが、環状上板の空隙を画定し、中心穴が形成された円形内側上板と、を含み、
前記第２の磁石組立体は、
外径およびそれ自体の内側の中空円形中心を画定する内径を有する環状外側磁石と、
前記環状外側磁石の内径よりも短い直径を有しており、前記環状外側磁石の前記中空円形中心と同心円状に位置する前記円形内側磁石であって、その直径と前記環状外側磁石の内径との長さの違いが、環状の第２の磁石組立体の空隙を画定し、中心穴が形成された円形内側磁石と、を含み、
前記第１の磁石組立体の前記円形内側磁石の直径が、前記円形内側上板および前記第２の磁石組立体の前記円形内側磁石の直径と一致することにより、前記第１の磁石組立体の空隙、前記上板の空隙、および前記第２の磁石組立体の空隙が一列に位置し、磁石空隙を画定し、
前記磁石空隙は前記音声コイルを受け入れるように構成されている、ラウドスピーカ磁石組立体。
【請求項１０】
前記第１の磁石組立体の前記環状外側磁石は、少なくとも２つの分割環状外側磁石に分割され、前記分割環状外側磁石各々の端部により、前記少なくとも１つのチャネルが少なくとも２つのチャネルに画定される、請求項９に記載のラウドスピーカ磁石組立体。
【請求項１１】
前記環状外側上板は外周を有し、少なくとも２つの分割環状外側上板に分割され、前記分割環状外側上板各々の端部により、前記上板内に１つ以上の空気チャネルが画定され、前記空気チャネルは、前記外周から前記上板の空隙に向かって半径方向内側に延伸する、請求項１０に記載のラウドスピーカ磁石組立体。
【請求項１２】
前記磁石空隙は前記底板に保護された空隙底部を含む、請求項１１に記載のラウドスピーカ磁石組立体。
【請求項１３】
前記底板は周囲を有する円形であり、前記底板はその外周から内側に延伸する放射状に配置された１つ以上の底板スロットを含む、請求項１２に記載のラウドスピーカ磁石組立体。
【請求項１４】
前記底板スロットは前記磁石空隙への物理的アクセスとなる、請求項１３に記載のラウドスピーカ磁石組立体。
【請求項１５】
前記上板は鉄、鋼鉄、または他の透水性材料から構成されている、請求項９に記載のラウドスピーカ磁石組立体。
【請求項１６】
前記第２の磁石組立体の前記外側磁石および前記円形内側磁石は永久磁石である、請求項９に記載のラウドスピーカ磁石組立体。
【請求項１７】
前記第１の磁石組立体の前記環状外側磁石は、前記サラウンドサスペンション部の外端に取り付けられるように構成されている、請求項９に記載のラウドスピーカ磁石組立体。
【発明の詳細な説明】
【技術分野】
【０００１】
関連出願の相互参照
本願は、米国仮特許出願シリアル番号第６１／４７４５５５号（２０１１年４月１２日出願）である、題名「ＬＯＵＤＳＰＥＡＫＥＲ  ＭＡＧＮＥＴ  ＡＳＳＥＭＢＬＹ」、同第６１／４７４５２７号（２０１１年４月１２日出願）である、題名「ＣＨＡＮＮＥＬ  ＭＡＧＮＥＴ  ＡＳＳＥＭＢＬＹ」、同第６１／４７４６１１号（２０１１年４月１２日出願）である、題名「ＬＯＷ  ＰＲＯＦＩＬＥ  ＬＯＵＤＳＰＥＡＫＥＲ  ＷＩＴＨ  ＲＥＩＮＦＯＲＣＥＤ  ＤＩＡＰＨＲＡＧＭ」、および同第６１／４７４５９２号（２０１１年４月１２日出願）である、題名「ＬＯＷ  ＰＲＯＦＩＬＥ  ＬＯＵＤＳＰＥＡＫＥＲ  ＳＵＳＰＥＮＳＩＯＮ  ＳＹＳＴＥＭ」の優先権を主張するものであり、その全体は参照により本明細書に組み込まれる。
【０００２】
本発明は、ラウドスピーカ変換器に関するものであり、より詳細には、薄型ラウドスピーカ変換器用のラウドスピーカ磁石組立体構造に関するものである。
【背景技術】
【０００３】
ラウドスピーカなどの音響再生装置は、消費および産業分野両方を含む多くの異なる技術分野において広範囲に利用されている。ラウドスピーカは、通常、ボックス内に１つ以上のドライバユニットを含む。これらのドライバユニットは、「ラウドスピーカドライバ」、「ドライバ」、「ラウドスピーカ変換器」、または「変換器」として一般的に公知である。機械部品と電気部品とを組み合わせたラウドスピーカ変換器は、（音を表現する）電気信号を、電気信号に対応する周囲音場に音波を生成する機械エネルギーに変換する。変換器内の柔軟性のある振動板が高速に振動することにより、変化した電気エネルギーが対応する音響エネルギー（すなわち、音波）に変換される。
【０００４】
ラウドスピーカ変換器は、概して２つの共通構造型からなる。第１の構造型は、従来型の二重サスペンションドライバ構造であり、このラウドスピーカ変換器の振動板はコーン状に形成され、その直径は音声コイルよりも十分に大きい。一例として、公知の代表的な二重サスペンションラウドスピーカ変換器１００を図１Ａおよび図１Ｂに示す。図１Ａは公知のラウドスピーカ変換器１００の斜視図であり、図１Ｂは断面図である。示すラウドスピーカ変換器１００は、「ダイナミックスピーカ」としても一般的に公知の可動コイル動電型ピストンドライバを実装する例である。公知のラウドスピーカ変換器１００は、振動板１０２、フレーム１０４、サラウンド１０６、前板１０８、磁石１１０、裏板１１２、音声コイル１１４、巻型１１６、中央柱１１８、ベント１２０、ギャップ１２２、スパイダ１２４、および選択的なダストキャップ１２６を含み得る。
【０００５】
この例では、ラウドスピーカ変換器１００は、サラウンド１０６を介して（「バスケット」としても公知の）フレーム１０４に取り付けられた（「コーン」としても公知の）振動板１０２から構成される。振動板１０２の後方には、（音声コイル１１４として示す）電線コイルが取り付けられており、これは巻型１１６として示す、振動板１０２の円筒状の伸長部に巻き付けられる。音声コイル１１４と巻型１１６との組み合わせが、実際には単に「音声コイル」とも呼ばれることを当業者は理解する。巻型１１６は、スパイダ１２４を介してフレーム１０４に接続される。サラウンド１０６とスパイダ１２４との組み合わせが、振動板１０２のサスペンションシステムを構成する。スパイダ１２４とサラウンド１０６との両方は枠として機能し、それぞれ、巻型１２２とフレーム１０４との間と、振動板１０２とフレーム１０４との間とをつなぎ、通常は柔軟性のある材料から形成される。サスペンションシステムは振動板１０２に剛性を与え、さらに変換器１００を空気密閉するように機能する。サスペンションシステムを介する音声コイル１１４、巻型１２２、およびフレーム１０４内側の振動板１０２の構造は、音声コイル１１４および巻型１２２と相対的な振動板１０２の構造およびサイズに応じて大まかに決まる。動作の一例として、振動板１０２は、空気を送り込んで音波を生成するピストンとして機能する。
【０００６】
ラウドスピーカ変換器１００はまた、磁石１１０、前板１０８、裏板１１２、および（「磁極片」としても公知の）中央柱１１８から構成される。前板１０８、裏板１１２、および中央柱１１８は、通常、鉄、鋼鉄、または類似する透水性材料から形成され、通常は永久磁石である磁石１１０と共に磁気回路を形成する。前板１０８および裏板１１２の両方は、通常では輪状である。磁石１１０は円筒環状であり、中央柱１１８は磁石１１０の内側に位置する中空シリンダであり、前板１０８と裏板１１２との間を延伸する。中央柱１１８の端部には、そこから前板１０８に向かい略垂直に延伸するへりが形成される。へりは中央柱１１８から外側に前板１０８に向かい延伸し、ギャップ１２２を形成する。前板１０８と中央柱１１８とは、磁気回路における円形ギャップ１２２を大まかに形成する。この結果、音声コイル１１４および巻型１１６がギャップ１２２の内側で吊るされ、ギャップ１２２の内側で前後に自由に移動可能であり、かつギャップ１２２内の中央に位置するようにスパイダ１２４は作用する。中央柱１１８は選択的に円筒状のベント１２０を含み得、これは、磁石組立体内の振動板１０２後方の圧力上昇を抑え、音声コイル１１４を冷却する。ベント１２０が形成されている場合には、ベント１２０を通って進入する破片を阻止する（「スクリーン」としても公知の）選択的なダストキャップ１２６を備えてもよい。
【０００７】
動作の一例として、増幅器からの電気信号が音声コイル１１４を通り抜けると、音声コイル１１４および巻型１２２は電磁石に変化する。音声コイル１１４を通る電流の方向に応じて、音声コイル１１４により生成された磁場のＮ極およびＳ極が、音声コイル１１４または他の部材の一端に位置する。磁石１１０も同様にＮ極およびＳ極を有し、２つの磁場のＮ極およびＳ極が共に一列に並ぶ（Ｎ極−Ｎ極およびＳ極−Ｓ極）場合には、その磁場は音声コイル１１４（およびそれに取り付けられた振動板１０２）を外側に押し込み、また、それらと反対の位置（Ｎ極−Ｓ極およびＳ極−Ｎ極）に並ぶ場合には、音声コイル１１４を内側に引っ張る。
【０００８】
第２の型のドライバ構造は端部駆動振動板型のドライバである。この構造では、振動板の直径と音声コイルの直径はほぼ等しい。この結果、振動板の外端が振動板に取り付けられて振動板組立体を形成する。この組立体は、次に、音声コイルに取り付けられる。サラウンドサスペンション組立体は外側に延伸して、組立体とフレームとが接続する。この端部駆動振動板型のドライバ構造は、多くの場合に、ツイータなどの小型のスピーカ組立体、さらには中音域スピーカにも用いられる。端部駆動振動板型のドライバの例は、Ｃｌａｙｔｏｎ  Ｃ．Ｗｉｌｌｉａｍｓｏｎ発明の米国特許シリアル番号第７１６７５７３号（２００７年１月２３日公表）である、題名「ＦＵＬＬ  ＲＡＮＧＥ  ＬＯＵＤＳＰＥＡＫＥＲ」に開示されており、その全体は参照により本明細書に組み込まれる。
【０００９】
小型のラウドスピーカに共通する問題の１つに、ラウドスピーカのサイズが小型になるため、許容範囲にある低周波応答を実現することが困難になるということがある。なぜなら、低周波を実現するためには、ラウドスピーカはより多くの空気容量を排出する必要があり、小型のドライバの軽い質量に対応する低共鳴を維持するために、サスペンションの剛性を低減する必要があるからである。ラウドスピーカが排出し得る空気容量は、振動板の面積およびサスペンションが許容する可動域、すなわちラウドスピーカの振動変位量、または体積変位に応じて決まる。さらに、堅いサスペンションは既定入力された振動板の動きを縮小するため、剛性は最低限であることが望ましい。小型のラウドスピーカは小型の振動板および堅いサスペンションを有するため、体積変位、それ故その動作は、非常に剛性が小さく、変位能力が高いラウドスピーカを製造する能力に従い制限される。
【００１０】
効率的に動作させるため、端部駆動振動板型のスピーカなどに用いられる、小型のラウドスピーカ内のサスペンションシステムは、本質的に直線経路に振動運動を抑制して、音声コイルが周囲構造に接触しないようにしつつ、振動に要求される最大振幅を許容する必要がある。それ故、サラウンドサスペンション部は、所望の振動の最大可能振幅を許容しつつ、振動板の任意の傾き、動揺、または他の外部振動を抑制する必要がある。現在の構造の端部駆動型のスピーカの一般的な問題は、振動板が磁石空隙を遮断するため、製造中における構成要素の正確な位置合わせが困難なことである。すなわち、振動板／コイル組立体の配置前に全ての調整ゲージを取り外す必要があるため、モータと相対的な音声コイルの位置が不正確になることがある。これは「ブラインド」組立体として公知である。
【００１１】
現在の構造のラウドスピーカのさらなる一般的な問題は、サラウンドサスペンション部の一部におけるスプリアス振動が高可聴周波数において生じることである。これらのスプリアス振動がサスペンションを通じて振動板に伝わり得るため、スピーカの高周波性能が低下する。また、現在のラウドスピーカ構造では、それが小型であれば振動の最大振幅が制限され、直径が短いスピーカでは低周波応答が抑制される。さらに、より小型のラウドスピーカのフレーム構造では、これらのラウドスピーカはラップトップおよび電子タブレットデバイスに用いられるのに十分に薄く構成されない。
【発明の概要】
【発明が解決しようとする課題】
【００１２】
それ故、振動板におけるサスペンションシステムのスプリアス振動の影響を最小限にし、音声コイル／振動板組立体の変位量を増大して、直径が短いラウドスピーカシステムにおける低周波応答を実現し、ラップトップ、電子タブレット、および他の薄型デバイスに使用するのに適した薄型のラウドスピーカ構造が要求されている。
【課題を解決するための手段】
【００１３】
音声コイルを有するラウドスピーカ変換器に用いられるラウドスピーカ磁石組立体は、本発明に従う薄型構造を有する。ラウドスピーカ磁石組立体は、第１の磁石組立体、第１の磁石組立体の下方に位置する上板、上板の下方に位置する第２の磁石組立体、および第２の磁石組立体の下方に位置する底板を含み得る。
【００１４】
第１の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第１の磁石組立体の空隙を画定する。
【００１５】
上板は環状外側上板および円形内側上板を含み得る。環状外側上板は外径および内径を有し、内径は環状外側上板内側の中空円形中心を画定する。円形内側上板の直径は環状外側上板の内径よりも短く、環状外側上板の中空円形中心と同心円状に位置する。円形内側上板の直径と環状外側上板の内径との長さの違いが、環状の上板の空隙を画定する。
【００１６】
第２の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いは、環状の第２の磁石組立体の空隙を画定する。
【００１７】
第１の磁石組立体の円形内側磁石の直径が、円形内側上板および第２の磁石組立体の円形内側磁石の直径と一致することにより、第１の磁石組立体の空隙、上板の空隙、および第２の磁石組立体の空隙が一列に位置し、磁石空隙を画定する。磁石空隙は音声コイルを受け入れるように構成される。
【００１８】
音声コイル、サラウンドサスペンション部、および振動板を有するラウドスピーカ変換器に用いられるラウドスピーカ磁石組立体の本発明に従う別の実施例を示す。ラウドスピーカ磁石組立体は、バッフル、第１の磁石組立体、第１の磁石組立体の下方に位置する上板、上板の下方に位置する第２の磁石組立体、第２の磁石組立体の下方に位置する底板、およびプラグを含み得る。
【００１９】
バッフルには中心穴が形成され得、第１の磁石組立体にも中心穴が形成され得る。上板は環状外側上板および円形内側上板を含み得る。環状外側上板は外径および内径を有し、内径は環状外側上板内側の中空円形中心を画定する。円形内側上板の直径は環状外側上板の内径よりも短く、環状外側上板の中空円形中心と同心円状に位置する。円形内側上板の直径と環状外側上板の内径との長さの違いが、環状上板の空隙を画定する。円形内側上板にはさらに中心穴が形成され得る。
【００２０】
第２の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第２の磁石組立体の空隙を画定する。円形内側磁石にはさらに中心穴が形成され得る。
【００２１】
底板にはさらに中心穴が形成され得、プラグは、底板、第２の磁石組立体の円形内側磁石、円形内側上板、および第１の磁石組立体の中心穴に嵌るように構成される。
【００２２】
第１の磁石組立体の直径が円形内側上板および第２の磁石組立体の円形内側磁石の直径と一致することにより、上板の空隙および第２の磁石組立体の空隙が一列に位置し、磁石空隙を画定する。磁石空隙は音声コイルを受け入れるように構成される。
【００２３】
音声コイル、サラウンドサスペンション部、および振動板を有するラウドスピーカ変換器に用いられるラウドスピーカ磁石組立体の本発明に従うさらなる別の実施例を示す。ラウドスピーカ磁石組立体は、第１の磁石組立体、第１の磁石組立体の下方に位置する上板、上板の下方に位置する第２の磁石組立体、第２の磁石組立体の下方に位置する底板、およびプラグを含み得る。
【００２４】
第１の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第１の磁石組立体の空隙を画定する。円形内側磁石にはさらに中心穴が形成され得る。
【００２５】
上板は環状外側上板および円形内側上板を含み得る。環状外側上板は外径および内径を有し、内径は環状外側上板内側の中空円形中心を画定する。円形内側上板の直径は環状外側上板の内径よりも短く、環状外側上板の中空円形中心と同心円状に位置する。円形内側上板の直径と環状外側上板の内径との長さの違いが、環状上板の空隙を画定する。円形内側上板にはさらに中心穴が形成され得る。
【００２６】
第２の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第２の磁石組立体の空隙を画定する。円形内側磁石にはさらに中心穴が形成され得る。
【００２７】
底板にはさらに中心穴が形成され得、プラグは、底板、第２の磁石組立体の円形内側磁石、円形内側上板、および第１の磁石組立体の円形内側磁石の中心穴に嵌るように構成される。
【００２８】
第１の磁石組立体の円形内側磁石の直径が、円形内側上板および第２の磁石組立体の円形内側磁石の直径と一致することにより、第１の磁石組立体の空隙、上板の空隙、および第２の磁石組立体の空隙が一列に位置し、磁石空隙を画定する。磁石空隙は音声コイルを受け入れるように構成される。
【００２９】
以下の図面および詳細な説明の考察から、本発明の他のデバイス、装置、システム、方法、特徴および利点が当業者に明らかになる。全てのこのような追加のシステム、方法、特徴および利点がこの説明に含まれ、本発明の範囲内に含まれ、添付の請求項により保護されることが意図される。
例えば、本発明は以下の項目を提供する。
（項目１）
音声コイル、サラウンドサスペンション部、および振動板を有するラウドスピーカ変換器に用いられるラウドスピーカ磁石組立体であって、上記ラウドスピーカ磁石組立体は、
第１の磁石組立体と、上記第１の磁石組立体の下方に位置する上板と、上記上板の下方に位置する第２の磁石組立体と、上記第２の磁石組立体の下方に位置する底板と、を備えており、
上記第１の磁石組立体は、
外径およびそれ自体の内側の中空円形中心を画定する内径を有する環状外側磁石と、
上記環状外側磁石の内径よりも短い直径を有しており、上記環状外側磁石の上記中空円形中心と同心円状に位置する円形内側磁石であって、その直径と上記環状外側磁石の内径との長さの違いが、環状の第１の磁石組立体の空隙を画定する円形内側磁石と、を含み、
上記上板は、
外径およびそれ自体の内側の中空円形中心を画定する内径を有する環状外側上板と、
上記環状外側上板の内径よりも短い直径を有しており、上記環状外側上板の上記中空円形中心と同心円状に位置する円形内側上板であって、その直径と上記環状外側上板の内径との長さの違いが、環状上板の空隙を画定する円形内側上板と、を含み、
上記第２の磁石組立体は、
外径およびそれ自体の内側の中空円形中心を画定する内径を有する環状外側磁石と、
上記環状外側磁石の内径よりも短い直径を有しており、上記環状外側磁石の上記中空円形中心と同心円状に位置する円形内側磁石であって、その直径と上記環状外側磁石の内径との長さの違いが、環状の第２の磁石組立体の空隙を画定する円形内側磁石と、を含み、
上記第１の磁石組立体の上記円形内側磁石の直径が、上記円形内側上板および上記第２の磁石組立体の上記円形内側磁石の直径と一致することにより、上記第１の磁石組立体の空隙、上記上板の空隙、および上記第２の磁石組立体の空隙が一列に位置し、磁石空隙を画定し、
上記磁石空隙は上記音声コイルを受け入れるように構成されている、ラウドスピーカ磁石組立体。
（項目２）
上記磁石空隙は上記底板に保護された空隙底部を含む、上記項目のいずれかに記載のラウドスピーカ磁石組立体。
（項目３）
上記底板は周囲を有する円形であり、上記底板はその外周から内側に延伸する放射状に配置された１つ以上の底板スロットを含む、上記項目のいずれかに記載のラウドスピーカ磁石組立体。
（項目４）
上記底板スロットは上記磁石空隙への物理的アクセスとなる、上記項目のいずれかに記載のラウドスピーカ磁石組立体。
（項目５）
上記第１の磁石組立体の上記環状外側磁石は、上記音声コイルからの回路用電線を上記第１の磁石組立体から外部に通すように構成された少なくとも１つのチャネルを含む、上記項目のいずれかに記載のラウドスピーカ磁石組立体。
（項目６）
上記第１の磁石組立体の上記環状外側磁石は、少なくとも２つの環状外側磁石に分割され、上記分割環状外側磁石各々の端部により、上記少なくとも１つのチャネルが少なくとも２つのチャネルに画定される、上記項目のいずれかに記載のラウドスピーカ磁石組立体。
（項目７）
上記上板は鉄、鋼鉄、または他の透水性材料から構成されている、上記項目のいずれかに記載のラウドスピーカ磁石組立体。
（項目８）
上記第２の磁石組立体の上記外側磁石および上記円形内側磁石は永久磁石である、上記項目のいずれかに記載のラウドスピーカ磁石組立体。
（項目９）
上記第１の磁石組立体の上記環状外側磁石は、上記サラウンドサスペンション部の外端に取り付けられるように構成されている、上記項目のいずれかに記載のラウドスピーカ磁石組立体。
（項目１０）
音声コイル、サラウンドサスペンション部、および振動板を有するラウドスピーカ変換器に用いられるラウドスピーカ磁石組立体であって、上記ラウドスピーカ磁石組立体は、
第１の磁石組立体と、上記第１の磁石組立体の下方に位置する上板と、上記上板の下方に位置する第２の磁石組立体と、上記第２の磁石組立体の下方に位置し、中心穴が形成された底板と、上記底板、上記第２の磁石組立体の円形内側磁石、円形内側上板、および上記第１の磁石組立体の円形内側磁石の中心穴に嵌るように構成されたプラグと、を備えており、
上記第１の磁石組立体は、
外径およびそれ自体の内側の中空円形中心を画定する内径を有する環状外側磁石と、
上記環状外側磁石の内径よりも短い直径を有しており、上記環状外側磁石の上記中空円形中心と同心円状に位置する上記円形内側磁石であって、その直径と上記環状外側磁石の内径との長さの違いが、環状の第１の磁石組立体の空隙を画定し、中心穴が形成された円形内側磁石と、を含み、
上記上板は、
外径およびそれ自体の内側の中空円形中心を画定する内径を有する環状外側上板と、
上記環状外側上板の内径よりも短い直径を有しており、上記環状外側上板の上記中空円形中心と同心円状に位置する上記円形内側上板であって、その直径と上記環状外側上板の内径との長さの違いが、環状上板の空隙を画定し、中心穴が形成された円形内側上板と、
を含み、
上記第２の磁石組立体は、
外径およびそれ自体の内側の中空円形中心を画定する内径を有する環状外側磁石と、
上記環状外側磁石の内径よりも短い直径を有しており、上記環状外側磁石の上記中空円形中心と同心円状に位置する上記円形内側磁石であって、その直径と上記環状外側磁石の内径との長さの違いが、環状の第２の磁石組立体の空隙を画定し、中心穴が形成された円形内側磁石と、を含み、
上記第１の磁石組立体の上記円形内側磁石の直径が、上記円形内側上板および上記第２の磁石組立体の上記円形内側磁石の直径と一致することにより、上記第１の磁石組立体の空隙、上記上板の空隙、および上記第２の磁石組立体の空隙が一列に位置し、磁石空隙を画定し、
上記磁石空隙は上記音声コイルを受け入れるように構成されている、ラウドスピーカ磁石組立体。
（項目１１）
上記第１の磁石組立体の上記環状外側磁石は、上記音声コイルからの回路用電線を上記第１の磁石組立体から外部に通すように構成された少なくとも１つのチャネルを含む、上記項目のいずれかに記載のラウドスピーカ磁石組立体。
（項目１２）
上記第１の磁石組立体の上記環状外側磁石は、少なくとも２つの環状外側磁石に分割され、上記分割環状外側磁石各々の端部により、上記少なくとも１つのチャネルが少なくとも２つのチャネルに画定される、上記項目のいずれかに記載のラウドスピーカ磁石組立体。
（項目１３）
上記環状外側上板は外周を有し、少なくとも２つの環状外側上板に分割され、上記分割環状外側上板各々の端部により、上記上板内に１つ以上の空気チャネルが画定され、上記空気チャネルは、上記外周から上記上板の空隙に向かって半径方向内側に延伸する、上記項目のいずれかに記載のラウドスピーカ磁石組立体。
（項目１４）
上記磁石空隙は上記底板に保護された空隙底部を含む、上記項目のいずれかに記載のラウドスピーカ磁石組立体。
（項目１５）
上記底板は周囲を有する円形であり、上記底板はその外周から内側に延伸する放射状に配置された１つ以上の底板スロットを含む、上記項目のいずれかに記載のラウドスピーカ磁石組立体。
（項目１６）
上記底板スロットは上記磁石空隙への物理的アクセスとなる、上記項目のいずれかに記載のラウドスピーカ磁石組立体。
（項目１７）
上記上板は鉄、鋼鉄、または他の透水性材料から構成されている、上記項目のいずれかに記載のラウドスピーカ磁石組立体。
（項目１８）
上記第２の磁石組立体の上記外側磁石および上記円形内側磁石は永久磁石である、上記項目のいずれかに記載のラウドスピーカ磁石組立体。
（項目１９）
上記第１の磁石組立体の上記環状外側磁石は、上記サラウンドサスペンション部の外端に取り付けられるように構成されている、上記項目のいずれかに記載のラウドスピーカ磁石組立体。
（項目２０）
音声コイル、サラウンドサスペンション部、および振動板を有するラウドスピーカ変換器に用いられるラウドスピーカ磁石組立体であって、上記ラウドスピーカ磁石組立体は、
中心穴が形成されたバッフルと、中心穴が形成された第１の磁石組立体と、上記第１の磁石組立体の下方に位置する上板と、上記上板の下方に位置する第２の磁石組立体と、上記第２の磁石組立体の下方に位置し、中心穴が形成された底板と、上記底板、上記第２の磁石組立体の円形内側磁石、円形内側上板、および上記第１の磁石組立体の円形内側磁石の中心穴に嵌るように構成されたプラグと、を備えており、
上記上板は、
外径およびそれ自体の内側の中空円形中心を画定する内径を有する環状外側上板と、
上記環状外側上板の内径よりも短い直径を有しており、上記環状外側上板の上記中空円形中心と同心円状に位置する上記円形内側上板であって、その直径と上記環状外側上板の内径との長さの違いが環状上板の空隙を画定し、中心穴が形成された円形内側上板と、を含み、
上記第２の磁石組立体は、
外径およびそれ自体の内側の中空円形中心を画定する内径を有する環状外側磁石と、
上記環状外側磁石の内径よりも短い直径を有しており、上記環状外側磁石の上記中空円形中心と同心円状に位置する上記円形内側磁石であって、その直径と上記環状外側磁石の内径との長さの違いが、環状の第２の磁石組立体の空隙を画定し、中心穴が形成された円形内側磁石と、を含み、
上記第１の磁石組立体の直径が、上記円形内側上板および上記第２の磁石組立体の上記円形内側磁石の直径と一致することにより、上記上板の空隙および上記第２の磁石組立体の空隙が一列に位置し、磁石空隙を画定し、
上記磁石空隙は上記音声コイルを受け入れるように構成されている、ラウドスピーカ磁石組立体。
（項目２１）
上記バッフルは周囲を有する円形であり、上記バッフルは、その外周からその中心穴に向かい内側に延伸する１つ以上の通路を含む、上記項目のいずれかに記載のラウドスピーカ磁石組立体。
摘要
音声コイルを有するラウドスピーカ変換器に用いられるラウドスピーカ磁石組立体は、薄型構造を有する。ラウドスピーカ磁石組立体は、第１の磁石組立体、第１の磁石組立体の下方に位置する上板、上板の下方に位置する第２の磁石組立体、第２の磁石組立体の下方に位置する底板を含み得る。第１の磁石組立体は、環状外側磁石および円形内側磁石を含み得る。上板は環状外側上板および円形内側上板を含み得、第２の磁石組立体は、環状外側磁石および円形内側磁石を含み得る。
【００３０】
本発明は以下の図面を参照してより良く理解される。図に示す構成要素は必ずしも原寸大ではなく、むしろ本発明の原理を説明するために誇張されている。図面では、異なる図面間において一致する部材を同じ参照符号で指定する。
【図面の簡単な説明】
【００３１】
【図１Ａ】従来のラウドスピーカ変換器を示す斜視図である。
【図１Ｂ】図１Ａに示す従来のラウドスピーカ変換器の断面図である。
【図２】本発明に従うラウドスピーカ変換器の実施例を示す分解された立体組立図である。
【図３】図２に示すラウドスピーカ変換器の第１および第２の磁石組立体の分解立体斜視図である。
【図４Ａ】図２に示すラウドスピーカ変換器の磁石組立体の上面図である。
【図４Ｂ】図２に示すラウドスピーカ変換器の底板の底面図である。
【図５】図２に示すラウドスピーカ変換器の断面図である。
【図６】図５に示す囲み領域の拡大斜視図である。
【図７】図２に示すラウドスピーカ変換器の第１の磁石組立体に形成されたチャネルの拡大斜視図である。
【図８】本発明に従うラウドスピーカ変換器の別の実施例を示す分解された立体組立図である。
【図９】図８に示すラウドスピーカ変換器の第１および第２の磁石組立体の分解立体斜視図である。
【図１０Ａ】図８に示すラウドスピーカ変換器の磁石組立体の上面図である。
【図１０Ｂ】図８に示すラウドスピーカ変換器の磁石組立体の底面図である。
【図１１】図８に示すラウドスピーカ変換器の断面図である。
【図１２】図１１に示す囲み領域の拡大斜視図である。
【図１３】図８に示すラウドスピーカ変換器のバッフルに形成された通路の拡大斜視図である。
【図１４】本発明のラウドスピーカ変換器のさらなる別の実施例を示す分解された立体組立図である。
【図１５】図８に示すバッフルの背面斜視図である。
【発明を実施するための形態】
【００３２】
先行技術の課題を解決するために、音声コイルを有するラウドスピーカ変換器に用いられるラウドスピーカ磁石組立体は、本発明に従う薄型構造を有する。ラウドスピーカ磁石組立体は、第１の磁石組立体、第１の磁石組立体の下方に位置する上板、上板の下方に位置する第２の磁石組立体、および第２の磁石組立体の下方に位置する底板を含み得る。
【００３３】
第１の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第１の磁石組立体の空隙を画定する。
【００３４】
上板は環状外側上板および円形内側上板を含み得る。環状外側上板は外径および内径を有し、内径は環状外側上板内側の中空円形中心を画定する。円形内側上板の直径は環状外側上板の内径よりも短く、環状外側上板の中空円形中心と同心円状に位置する。円形内側上板の直径と環状外側上板の内径との長さの違いが、環状上板の空隙を画定する。
【００３５】
第２の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第２の磁石組立体の空隙を画定する。
【００３６】
第１の磁石組立体の円形内側磁石の直径が、円形内側上板および第２の磁石組立体の円形内側磁石の直径と一致することにより、第１の磁石組立体の空隙、上板の空隙、および第２の磁石組立体の空隙が一列に位置し、磁石空隙を画定する。磁石空隙は音声コイルを受け入れるように構成される。
【００３７】
この例では、ラウドスピーカ磁石組立体の磁石空隙は、底板に保護された空隙底部を含む。底板は周囲を有する円形でもよく、底板の外周から内側に延伸する放射状に配置された１つ以上の底板スロットを含む。これらのスロットは磁石空隙への物理的アクセスとなる。
【００３８】
第１の磁石組立体の環状外側磁石は、音声コイルからの回路用電線を第１の磁石組立体から外部に通すように構成された少なくとも１つのチャネルを含み得る。第１の磁石組立体の環状外側磁石は、少なくとも２つの環状外側磁石に分割され得、分割環状外側磁石各々の端部により、少なくとも１つのチャネルが少なくとも２つのチャネルに画定される。
【００３９】
より詳細に説明するために、本発明に従うラウドスピーカ変換器２００の実施例の分解された立体組立図を図２に示す。ラウドスピーカ変換器２００は略円形構造であり、振動板２０２、第１の磁石組立体２０４、および上板２０８と底板２１０との間に位置する第２の磁石組立体２０６を含み得る。一例として、第１の磁石組立体２０４、第２の磁石組立体２０６、上板２０８、および底板２１０は、例えば、２部エポキシを用いて取り付けられ得る（すなわち、物理的に共に接続または連結される）。ラウドスピーカ変換器２００は、振動板２０２を浮かせるサラウンドサスペンション部２１２、および音声コイル２１４をさらに含み得、音声コイル２１４は、そこから外側に延伸する（引張リード線としても公知の）一対の回路用電線２１６を有する。音声コイル２１４は、巻型２１８を囲む回路用電線２１６の巻線である。
【００４０】
示す振動板２０２は略平円形構造であるが、凹状または凸状などの他の構造でもよいことを当業者は理解する。平坦状の振動板２０２はラウドスピーカ変換器２００の高さを低くするために利用され、ポータブル、ラップトップ、ネットワーク、タブレットコンピュータ、およびモバイル機器用に設計されたラウドスピーカなどの、小型の用途として多くの場合に所望される全体が低輪郭のパッケージを可能にする。振動板２０２は、チタン、アルミニウムもしくは他の金属、プラスチック、含浸紙、強化紙などの非金属材料、または種々の含浸繊維などの、剛性を有する任意の適切な材料から形成され得る。さらなる剛性をもたらすために、花構造２１８などの隆起構造が振動板２０２の上面にエンボス加工され得る。
【００４１】
第１の磁石組立体２０４は略円形構造でもよく、円形内側磁石２２０、並びに環状外側磁石２２２および２２４を含み得る。円形内側磁石２２０、並びに環状外側磁石２２２および２２４は、ラウドスピーカ変換器に共通して利用される任意の公知の磁石材料でもよい。組み立てられる際に、円形内側磁石２２０、並びに環状外側磁石２２２および２２４は、互いに間隙を介して同心円状に配置され得、さらなる詳細を下記するように、音声コイル２１４および巻型２１８が通過するための第１の磁石組立体の空隙２２６を画定する。さらに、環状外側磁石２２２および２２４は分割され得、示すように、音声コイル２１４からの回路用電線２１６がラウドスピーカ変換器２００から外側に通過する１つ以上のチャネル２２８を画定する。図１には２つのチャネル２２８を画定する環状外側磁石２２２および２２４を示したが、この例では、チャネルが１つのみまたは全く有さない１つのみの環状外側磁石を用いてもよいことを当業者は理解する。
【００４２】
第１の磁石組立体２０４の次に第２の磁石組立体２０６を説明すると、これは略円形構造でもよく、円形内側永久磁石２３０および環状外側永久磁石２３２を含み得る。内側永久磁石２３０および環状外側永久磁石２３２は、ラウドスピーカ変換器に共通して利用される任意の公知の磁石材料から形成され得る。組み立てられる際に、内側永久磁石２３０および環状外側永久磁石２３２は、互いに間隙を介して同心円状に配置され得、音声コイル２１４および巻型２１８が通過するための第２の磁石組立体の空隙２３４を画定する。
【００４３】
別の例では、環状外側永久磁石２３２は環状部に分割され得、音響穴となる１つ以上のチャネル（不図示）を画定する。音響穴を形成することにより、振動板２０２背面からの音波圧力が通常、バスレフまたは音響緩衝システムであるスピーカ「ボックス」またはエンクロージャ（不図示）に伝達し得る。チャネル（不図示）は吸気端および排気端を含み得、これは円形、面取り、または第２の磁石組立体の空隙２３４からスピーカエンクロージャに圧力波を伝搬する他の構造でもよい。
【００４４】
上板２０８を参照すると、これは略円形構造でもよく、円形内側上板２３６および環状外側上板２３８を含み得る。上板２０８は、磁気軟鉄、鋼鉄、または上板として機能するのに適した任意の他の類似の透水性材料から形成され得、第１の磁石組立体２０４、内側永久磁石２３０、および底板２１０と共に磁気回路を形成する。組み立てられる際に、円形内側上板２３６および環状外側上板２３８は、互いに間隙を介して同心円状に配置され得、音声コイル２１４および巻型２１８が通過するための上板の空隙２４０を画定する。
【００４５】
底板２１０は略円形構造でもよく、底板２１０の外周から内側に延伸する放射状に配置された１つ以上の底板スロット２４２を含み得る。底板２１０は、磁気軟鉄、鋼鉄、または底板として機能するのに適した任意の他の類似の透水性材料から形成され得、第１の磁石組立体２０４、内側永久磁石２３０、および上板２０８と共に磁気回路を形成する。
【００４６】
（図２に示す）ラウドスピーカ変換器２００の第１の磁石組立体２０４および第２の磁石組立体２０６を説明する分解立体斜視図を図３に示す。第１の磁石組立体２０４は、薄型ラウドスピーカ変換器用の変換磁石である。第１の磁石組立体２０４は、外周、外径および内径を有する環状外側磁石を含み得る。内径は環状外側磁石内側の中空円形中心を画定し、円形内側磁石の直径と環状外側磁石の内径との長さの違いが、環状の第１の磁石組立体の空隙を画定する。環状外側磁石は、環状外側磁石の外周から第１の磁石組立体の空隙に向かって内側に延伸する１つ以上のチャネルを含み、第１の磁石組立体の空隙は音声コイルを受け入れるように構成され、チャネルは音声コイルからの回路用電線を、変換磁石から外部デバイスに通すように構成される。
【００４７】
より具体的には、図３では環状外側磁石２２２および２２４は２つの別々の磁石であるが、１つの環状外側磁石（不図示）を形成するように結合してもよいことを当業者はさらに理解する。この結果形成された１つの環状外側磁石（不図示）は、図３に示す２つのチャネルではなく、１つのみのチャネルを有する。同様に、環状外側磁石２２２および２２４は、図３に示す形状で３以上のチャネル２２８が形成される（図３に示す形状で）３以上の部分に分割されてもよい。さらに、前述のように、第２の磁石組立体２０６の環状外側永久磁石２３２は環状部に分割され、音響穴となる１つ以上のチャネル（不図示）を画定してもよい。
【００４８】
図４Ａおよび図４Ｂを参照すると、（図２に示す）ラウドスピーカ変換器２００の磁石組立体の上面図が図４Ａに示される。この上面図は第１の磁石組立体２０４を示す。示すように、第１の磁石組立体２０４の直径は第２の磁石組立体２０６の直径よりも多少短く、環状外側磁石２２２部分と磁石２２４部分との間に画定されたチャネル２２８は、（図２および図３に画定されるような）第１の磁石組立体の空隙２２６から外側に、例えば、第１の磁石組立体の空隙２２６の直径の接線方向に延伸し得る。空隙４００全体が第１の磁石組立体の空隙２２６、上板の空隙２４０、および第２の磁石組立体の空隙２３４の組み合わせにより画定されることを当業者は理解する。空隙４００全体はさらに円筒環状空洞を画定し、これは第１の磁石組立体２０４の上面から始まり、底板２１０の上面まで続く。空隙４００全体の底部には、空隙４００全体の円筒環状空洞と、底板２１０の放射状に配置されたスロット２４２とにより画定された開放領域が形成される。
【００４９】
（図２に示す）ラウドスピーカ変換器２００の底板２１０の底面図を図４Ｂに示す。示すように、底板２１０に放射状に配置されたスロット２４２は、底板２１０の外周からその中心に向かい内側に延伸する。この例では、個々のスロット２４２と空隙４００全体とを繋ぐ通気道４０２が形成される。
【００５０】
図２のラウドスピーカ変換器２００の断面図を図５に示す。図５では、示すように底板２１０は、円筒状の永久磁石（すなわち、第２の磁石組立体２０６）、上板２０８、および第１の磁石組立体２０４を含むスタックを支持する。この例では、スタックにおける第２の磁石組立体２０６の上方の位置には、上板２０８および（上板２０８の上方の位置には）第１の磁石組立体２０４が位置する。
【００５１】
図５に示すように、円形内側磁石２２０の直径が円形内側上板２３６および内側永久磁石２３０の直径に一致するため、第１の磁石組立体の空隙２２６、上板の空隙２４０、および第２の磁石組立体の空隙２３４が一列に配置され、空隙４００全体を画定する。それ故空隙４００全体は、円形内側磁石２２０と、環状外側磁石２２４と、円形内側上板２３６と、環状外側上板２３８と、円形内側永久磁石２３０と、環状外側永久磁石２３２との間にそれぞれ形成された環状空間である。このように空隙４００全体は「磁石空隙」である。この結果、音声コイル２１４および巻型２１８は磁石空隙４００内に位置し、上方に延伸して、外周５００における振動板２０２に接合する。巻型２１８および接続振動板２０２は、以下に詳細に記載するように、巻型２１８に接続されたサラウンドサスペンション部２１２により適切な位置に支持される。音声コイル２１４は、音声コイル２１４および巻型２１８を包み込むラッパ（不図示）をさらに含んでもよい。それ故、サスペンション部２１２または任意の他のスピーカ構成要素の巻型４０２への接続または取り付けについて言及すると、音声コイル２１４および巻型４０２のラッパに直接取り付けてもよいし、巻型２１８がラッパを有しない場合には、音声コイル２１４および巻型２１８に直接取り付けてもよい。本発明の範囲から逸脱することなく、底板２１０、第２の磁石組立体２０６、上板２０８、第１の磁石組立体２０４、音声コイル２１４、および巻型２１８の他の構造が利用され得ることを当業者は理解する。
【００５２】
図６は図５の囲み領域５０２の拡大図であり、音声コイル２１４、巻型２１８、および振動板２０２に関連するサラウンドサスペンション部２１２の構造をより詳細に示す。前述のように、音声コイル２１４および巻型２１８は、環状外側磁石２２４、環状外側上板２３８、および環状外側永久磁石２３２各々の内側部６００、６０２および６０４と、円形内側磁石２２０、円形内側上板２３６、および内側永久磁石２３０各々の外側部６０６、６０８および６１０との間の磁石空隙４００に位置する。
【００５３】
音声コイル２１４および巻型２１８は、次に、円形内側磁石２２０、円形内側上板２３６、および内側永久磁石２３０の外側部６０６、６０８および６１０と平行方向に、磁石空隙４００から外側かつ上方に延伸する。この例では、巻型２１８は第１の磁石組立体２０４上方の地点まで上方に延伸し、ラウドスピーカ変換器２００の振動板２０２に接続する。巻型２１８はその上端６１２において振動板２０２に取り付けられる。接着剤または振動板２０２を巻型２１８に備え付ける当業界で公知の他の手段を用いて、巻型２１８の上端６１２は振動板２０２の外周端部５００の底面に取り付けられる。この例では、外周端部５００は正方形の端フランジとして形成されるが、振動板２０２を巻型２１８に取り付けるための代替的な周囲端部構造が用いられてもよい。例えば、振動板２０２は、位置決めおよび締め付け作業が容易になるように、巻型２１８の上端６１２の側面に位置し得る環状の下向きチャネルと一体化されてもよい。
【００５４】
図６に示すように、サラウンドサスペンション部２１２は、接着剤などを用いて第１の磁石組立体２０４に取り付けられ得、巻型２１８および振動板２０２を支持し、磁石空隙４００内における音声コイル２１４および巻型２１８の配置を維持する。サラウンドサスペンション部２１２は、示すように、短フランジ６１６を含む内端６１４を含み得る。サラウンドサスペンション部２１２の内端６１４は、振動板２０２が巻型２１８の上端６１２に取り付けられた地点よりも下方の位置において巻型２１８に取り付けられ得る。サラウンドサスペンション部２１２の外端６１８は、環状外側磁石２２４の上面６２０に取り付けられ得る。
【００５５】
サラウンドサスペンション部２１２は、音声コイル２１４、巻型２１８、および／または振動板２０２組立体の上方向および下方向両方の最大変位をある程度抑制するように構成および配置される。この上方向では最大変位は他に抑制されず、下方向では、サラウンドサスペンション部２１２が底板２１０と音声コイル１１４および巻型２１８とのクッションとして機能する。示す配置では、１８０度または多少小さい角度の範囲の弧を有するサラウンドサスペンション部２１２を示すが、本発明は、一連の同心波形などのサラウンドサスペンション部２１２の公知の代替的な配置を利用しても実行され得る。
【００５６】
図１のラウドスピーカ変換器２００の第１の磁石組立体２０４に形成されたチャネルの拡大斜視図を図７に示す。明確さを目的として、この図にはサラウンドサスペンション部２１２は示さない。示すように、第１の磁石組立体２０４のチャネル２２８は、音声コイル２１４からの回路用電線２１６がラウドスピーカ変換器２００から外側に通過するための吸気端７００および排気端７０２を含み得る。作動中、示すように回路用電線２１６の一端は、統合された平板導体（不図示）を通じて、巻型２１８に接続され得る。回路用電線２１６の反対端は、ラウドスピーカ変換器２００の電気端子（不図示）に接続され得る。
【００５７】
本発明に従う音声コイル、サラウンドサスペンション部、および振動板を有するラウドスピーカ変換器に用いられるラウドスピーカ磁石組立体の別の実施例を図８に示す。ラウドスピーカ磁石組立体は、バッフル、第１の磁石組立体、第１の磁石組立体の下方に位置する上板、上板の下方に位置する第２の磁石組立体、第２の磁石組立体の下方に位置する底板、およびプラグを含み得る。
【００５８】
バッフルには中心穴が形成され得、第１の磁石組立体にも中心穴が形成され得る。上板は環状外側上板および円形内側上板を含み得る。環状外側上板は外径および内径を有し、内径は環状外側上板内側の中空円形中心を画定する。円形内側上板の直径は環状外側上板の内径よりも短く、環状外側上板の中空円形中心と同心円状に位置する。円形内側上板の直径と環状外側上板の内径との長さの違いが、環状上板の空隙を画定する。円形内側上板にはさらに中心穴が形成され得る。
【００５９】
第２の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第２の磁石組立体の空隙を画定する。円形内側磁石にはさらに中心穴が形成され得る。
【００６０】
底板にはさらに中心穴が形成され得、プラグは、底板、第２の磁石組立体の円形内側磁石、円形内側上板、および第１の磁石組立体の中心穴に嵌るように構成される。
【００６１】
第１の磁石組立体の直径が円形内側上板および第２の磁石組立体の円形内側磁石の直径と一致することにより、上板の空隙および第２の磁石組立体の空隙が一列に位置し、磁石空隙を画定する。磁石空隙は音声コイルを受け入れるように構成される。バッフルは周囲を有する円形でもよく、バッフルの外周からバッフルの中心穴に向かい内側に延伸する１つ以上の通路を含み、音声コイルからの回路用電線を、ラウドスピーカ変換器の外部デバイスまで通す。
【００６２】
本発明の別の実施例のラウドスピーカ変換器８００の分解された立体組立図を図８に示す。ラウドスピーカ変換器８００は略円形構造でもよく、振動板８０２、第１の磁石組立体８０４、および上板８０８と底板８１０との間に配置された第２の磁石組立体８０６を含み得る。いくつかの実施では、第１の磁石組立体８０４、第２の磁石組立体８０６、上板８０８、および底板８１０は、例えば、２部エポキシを用いて共に取り付けられ得る（例えば、物理的に接続または連結される）。バッフル８１２、振動板８０２を浮かせるサラウンドサスペンション部８１４、およびそこから外側に延伸する一対の回路用電線８１８または金糸リード線を有する音声コイル８１６をさらに示す。音声コイル８１６は巻型８１９の周囲に巻き付き得る。第１の磁石組立体８０４、第２の磁石組立体８０６、上板８０８、および底板８１０は、これらのラウドスピーカ変換器８００部材の中心を通るように構成されたプラグ８２０を用いて共に組み立てられ得る。
【００６３】
示す振動板８０２は略平円形構造でもよいが、凹状または凸状などの他の構造でもよいことを当業者は理解する。平坦状の振動板８０２はラウドスピーカ変換器８００の高さを低くするために利用され、ポータブル、ラップトップ、ネットワーク、タブレットコンピュータ、およびモバイル機器用に設計されたラウドスピーカなどの、小型の用途として多くの場合に所望される全体が低輪郭のパッケージを可能にする。振動板８０２は、チタン、アルミニウムもしくは他の金属、プラスチック、含浸紙、強化紙などの非金属材料、または種々の含浸繊維などの、剛性を有する任意の適切な材料から形成され得る。さらなる剛性をもたらすために、花構造８２２などの隆起構造が振動板８０２の上面にエンボス加工され得る。
【００６４】
バッフル８１２は略環状構造でもよく、より詳しくは下記するように、そこを音声コイル８１６および巻型８１９の少なくとも一部が通るための中心穴８２４が形成され得る。バッフル８１２は、回路用電線８１８が音声コイル８１６から外側に、ラウドスピーカ変換器８００の外部に通るための一対の対向通路８２６をさらに含み得る。対向通路８２６は図２、図３、図４Ａおよび図７に示すチャネル２２８に類似するが、チャネル２２８が第１の磁石組立体２０４などの磁性物質に形成されるのに対して、通路８２６は非磁性のバッフル８１２に形成されるという点が異なる。
【００６５】
第１の磁石組立体８０４は、示すように、プラグ８２０を受け入れるための第１の磁石中心穴８２８が形成された略ディスク形の磁石でもよい。第１の磁石組立体８０４は、ラウドスピーカ変換器に共通して利用される任意の公知の磁石材料から形成され得る。
【００６６】
第１の磁石組立体８０４の次に第２の磁石組立体８０６を説明すると、これは略円形構造でもよく、第２の磁石中心穴８３２が形成された円形内側永久磁石８３０および環状外側永久磁石８３４を含み得る。円形内側永久磁石８３０および環状外側永久磁石８３４は、ラウドスピーカ変換器に共通して利用される任意の公知の磁石材料から形成され得る。組み立てられる際に、円形内側永久磁石８３０および環状外側永久磁石８３４は、互いに間隙を介して同心円状に配置され得、音声コイル８１６および巻型８１９が通過するための第２の磁石空隙８３６を画定する。
【００６７】
示す上板８０８は略円形構造でもよく、中心穴８４０が形成された円形内側上板８３８、および環状外側上板８４２を含み得る。上板８０８は磁気軟鉄、鋼鉄、または上板として機能するのに適した任意の他の材料から形成され得、第１の磁石組立体８０４、第２の磁石組立体８０６、および底板８１０と共に磁気回路を形成する。組み立てられる際に、円形内側上板８３８および環状外側上板８４２は、互いに間隙を介して同心円状に配置され得、音声コイル８１６および巻型８１９が通過するための上板の空隙８４４を画定する。
【００６８】
底板８１０は円板状でもよく、中心穴８４６が形成される。底板８１０は磁気軟鉄、鋼鉄、または底板として機能するのに適した任意の他の類似の透水性材料から形成され得、第１の磁石組立体８０４、第２の磁石組立体８０６、および上板８０８と共に磁気回路を形成する。
【００６９】
（図８に示す）ラウドスピーカ変換器８００の第１の磁石組立体８０４および第２の磁石組立体８０６を説明する分解立体斜視図を図９に示す。前述のように、第１の磁石組立体８０４は、プラグ８２０を受け入れるための第１の中心穴８２８が形成された略ディスク形の磁石でもよい。第２の磁石組立体８０６は略円形構造でもよく、第２の中心穴８３２が形成された円形内側永久磁石８３０、および環状外側永久磁石８３４を含み得る。
【００７０】
図１０Ａは図８のラウドスピーカ変換器８００の磁石組立体の上面図である。この上面図は、プラグ８２０を用いて組み立てられる第１の磁石組立体８０４、上板８０８、第２の磁石組立体８０６、および底板（この図では不示）を示す。いくつかの実施では、第１の磁石組立体８０４、上板８０８、第２の磁石組立体８０６、および底板（不図示）は、接着剤、溶接物、圧入、または他の固定手段を用いて、プラグを利用して共に連結され得る。示すように、上板８０８の直径は第２の磁石組立体８０６の直径よりも多少短い。空隙１０００全体が上板の空隙８４４と第２の磁石組立体の空隙８３６との組み合わせにより画定されることを当業者は理解する。さらに、空隙１０００全体は円筒環状空洞を画定し、これは上板８０８の上面から始まり、底板８１０の上面まで続く。
【００７１】
図１０Ｂは図８のラウドスピーカ変換器８００の磁石組立体の底面図である。この底面図は、プラグ７２０を用いて組み立てられる第１の磁石組立体８０４（この図では不示）、上板８０８（この図では不示）、第２の磁石組立体７０６、および底板８１０を示す。示すように、組み立てられる際に、プラグ８２０は、底板８１０における中心穴８４０を通じて、ラウドスピーカ変換器８００の底面に係合する。
【００７２】
図１１は図８のラウドスピーカ変換器８００の断面図である。図１１では、示すように底板８１０は、円筒状の永久磁石（すなわち、第２の磁石組立体８０６）、上板８０８、および第１の磁石組立体８０４を含むスタックを支持する。この例では、スタックにおける第２の磁石組立体８０６の上方の位置には、上板８０８、（上板８０８の円形内側上板８３８の上方の位置には）第１の磁石組立体８０４、およびバッフル８１２が位置する。バッフル８１２は、環状外側上板８４２および環状外側永久磁石８３４の直径範囲をそれぞれが補完するように構成された一対の同心半径面１１０２および１１０４を含み得る底面１１００を有する。
【００７３】
図１１に示すように、第１の磁石組立体７０４の直径が円形内側上板８３８および円形内側永久磁石８３０の直径に一致するため、上板の空隙８４４と第２の磁石組立体の空隙８０６とが一列に配置され、空隙１０００全体を画定する。それ故、空隙１０００全体は、円形内側上板８３８と、環状外側上板８４２と、円形内側永久磁石８３０と、環状外側永久磁石８３４との間にそれぞれ形成された環状空間である。このように空隙１０００全体は「磁石空隙」である。
【００７４】
この結果、音声コイル８１６および巻型８１９は磁石空隙１０００内に位置し、上方に延伸して、外周１１０６における振動板８０２に接合する。巻型８１９および接続振動板８０２は、以下に詳細に記載するように、巻型８１９に接続されたサラウンドサスペンション部８１４により適切な位置に支持される。音声コイル８１６は、音声コイル８１６および巻型８１９を包み込むラッパ（不図示）をさらに含んでもよい。それ故、サスペンション部８１４または任意の他のスピーカ構成要素の巻型８１９への接続または取り付けについて言及すると、音声コイル８１６および巻型８１９のラッパに直接取り付けてもよいし、巻型８１９がラッパを有していない場合には、音声コイル８１６および巻型８１９に直接取り付けてもよい。
【００７５】
さらに示すように、組み立てられる際に、プラグ８２０はスタックに係合し、底板中心穴８４０、第２の磁石中心穴８３２、上板中心穴８４０、第１の磁石中心穴８２８、およびバッフル８１２の中心穴８２４（第１の磁石組立体８０４がバッフル８１２の中心穴８２４に位置する）を通り延伸する。本発明の範囲から逸脱することなく、底板８１０、第２の磁石組立体８０６、上板８０８、第１の磁石組立体８０４、音声コイル８１６、および巻型８１９の他の構造が利用され得ることを当業者は理解する。
【００７６】
図１２は図１１の囲み領域１１０８の拡大図であり、音声コイル８１６、巻型８１９、および振動板８０２に関連するサスペンション部８１４の構造をより詳細に示す。前述のように、音声コイル８１６および巻型８１９は、バッフル８１２の中心穴８２４、環状外側上板８４２、および環状外側永久磁石８３４各々の外側部１２０２、１２０４および１２０６と、第１の磁石組立体８０４、円形内側上板８３８、および円形内側永久磁石８３０各々の内側部１２０８、１２１０および１２１２との間の磁石空隙１００６に位置する。
【００７７】
音声コイル８１６および巻型８１９は、次に、第１の磁石組立体８０４、円形内側上板８３８、および円形内側永久磁石８３０の内側部１２０８、１２１０および１２１２と平行方向に、磁石空隙１０００から外側かつ上方に延伸する。この例では、巻型８１９は第１の磁石組立体８０４上方の地点まで上方に延伸し、ラウドスピーカ変換器８００の振動板８０２に接続する。巻型８１９はその上端１２１４において振動板８０２に取り付けられる。接着剤または振動板８０２を巻型８１９に備え付ける当業界で公知の他の手段を用いて、巻型８１９の上端１２１４は振動板８０２の外周端部１１０６の底面に取り付けられる。この例では、外周端部１１０６は正方形の端フランジとして形成されるが、振動板８０２を巻型８１９に取り付けるための代替的な周囲端部構造が用いられてもよい。例えば、振動板８０２は、位置決めおよび締め付け作業が容易になるように、巻型８１９の上端１２１４の側面に位置し得る環状の下向きチャネルと一体化されてもよい。
【００７８】
図１２に示すように、サラウンドサスペンション部８１４は、バッフル８１２の中心穴８２４を囲む踊り場領域１２１６に取り付けられ得、巻型８１９および振動板８０２を支持し、磁石空隙１０００内における音声コイル８１６および巻型８１９の配置を維持する。サラウンドサスペンション部８１４は、示すように、短フランジ１２２０を含み得る内端１２１８を含み得る。サラウンドサスペンション部８１４の内端１２１８は、振動板８０２が巻型１８１９の上端１２１４に取り付けられた地点よりも下方の位置において接着剤などを用いて巻型８１９に取り付けられ得る。サラウンドサスペンション部８１４の外端１２２２は、踊り場領域１２１６に取り付けられ得る。
【００７９】
図８のラウドスピーカ変換器８００のバッフルに形成された通路の拡大斜視図を図１３に示す。明確さを目的として、この図にはサラウンドサスペンション部８１４は示さない。示すように、バッフル８１２における通路８２６は、音声コイル８１６からの金糸リード線（すなわち、回路用電線８１８）がラウドスピーカ変換器８００から外側に通過するための吸気端１３０２および排気端１３０４を含み得る。作動中、示すように金糸リード線８１８は、統合された平板導体（不図示）を通じて、音声コイル８１６の巻型８１９に接続され得る。
【００８０】
本発明に従う音声コイル、サラウンドサスペンション部、および振動板を有するラウドスピーカ変換器に用いられるラウドスピーカ磁石組立体の別の実施例を示す。ラウドスピーカ磁石組立体は、第１の磁石組立体、第１の磁石組立体の下方に位置する上板、上板の下方に位置する第２の磁石組立体、第２の磁石組立体の下方に位置する底板、およびプラグを含み得る。
【００８１】
第１の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第１の磁石組立体の空隙を画定する。円形内側磁石にはさらに中心穴が形成され得る。
【００８２】
上板は環状外側上板および円形内側上板を含み得る。環状外側上板は外径および内径を有し、内径は環状外側上板内側の中空円形中心を画定する。円形内側上板の直径は環状外側上板の内径よりも短く、環状外側上板の中空円形中心と同心円状に位置する。円形内側上板の直径と環状外側上板の内径との長さの違いが、環状上板の空隙を画定する。円形内側上板にはさらに中心穴が形成され得る。
【００８３】
第２の磁石組立体は、環状外側磁石および円形内側磁石を含み得る。環状外側磁石は外径および内径を有し、内径は環状外側磁石内側の中空円形中心を画定する。円形内側磁石の直径は環状外側磁石の内径よりも短く、環状外側磁石の中空円形中心と同心円状に位置する。円形内側磁石の直径と環状外側磁石の内径との長さの違いが、環状の第２の磁石組立体の空隙を画定する。円形内側磁石にはさらに中心穴が形成され得る。
【００８４】
底板にはさらに中心穴が形成され得、プラグは、底板、第２の磁石組立体の円形内側磁石、円形内側上板、および第１の磁石組立体の円形内側磁石の中心穴に嵌るように構成される。
【００８５】
第１の磁石組立体の円形内側磁石の直径が、円形内側上板および第２の磁石組立体の円形内側磁石の直径と一致することにより、第１の磁石組立体の空隙、上板の空隙、および第２の磁石組立体の空隙が一列に位置し、磁石空隙を画定する。磁石空隙は音声コイルを受け入れるように構成される。
【００８６】
この例では、ラウドスピーカ磁石組立体の磁石空隙は、底板に保護された空隙底部を含む。底板は周囲を有する円形でもよく、底板の外周から内側に延伸する放射状に配置された１つ以上の底板スロットを含む。これらのスロットは磁石空隙への物理的アクセスとなる。
【００８７】
第１の磁石組立体の環状外側磁石は、音声コイルからの回路用電線を第１の磁石組立体から外部に通すように構成された少なくとも１つのチャネルを含み得る。第１の磁石組立体の環状外側磁石は、少なくとも２つの環状外側磁石に分割され得、分割環状外側磁石各々の端部により、少なくとも１つのチャネルが少なくとも２つのチャネルに画定される。
【００８８】
環状外側上板はまた、各々が外周を有する少なくとも２つの環状外側上板に分割されてもよい。この例では、分割された環状外側上板各々は、上板内に１つ以上の空気チャネルを画定する端部を含み、この空気チャネルは、外周から上板の空隙に向かって半径方向内側に延伸する。
【００８９】
本発明のさらなる別の実施例であるラウドスピーカ変換器１４００のより詳細な分解された立体組立図を図１４に示す。この実施例は図２および図８に示す本発明の実施例に類似するが、この例のラウドスピーカ変換器１４００が、分割された上板１４０２およびプラグ１４０４を含むという点が異なる。この例はまた、環状外側上板部１４０６に分割された上板１４０２に特徴付けられ、この分割により、音響穴となる１つ以上の上板空気チャネル１４０８が画定される。上板１４０２は円形内側上板１４１０および上板の空隙１４１２をさらに含み得る。音響穴を形成することにより、振動板１４１４背面からの音波圧力は、スピーカエンクロージャ（不図示）に伝達し得る。
【００９０】
図２および図１１に示す例に類似するように、この例のラウドスピーカ変換器１４００もまた、サラウンドサスペンション部１４１６、巻型１４１８、音声コイル１４２０、回路用電線１４２２、第１の磁石組立体１４２５の円形内側磁石１４２４、円形内側永久磁石１４２８と環状外側永久磁石１４３０と第２の磁石空隙１４３を含む第２の磁石組立体１４２６、底板１４３４、および隆起構造１４３６を含み得る。
【００９１】
さらに、図１１とは異なるが図２に類似するように、この例の第１の磁石組立体１４２５もまた、２つの環状外側磁石１４３８、第１の磁石組立体の空隙１４３９、および環状外側磁石１４３８の間に形成された少なくとも１つのチャネル１４４０を含み得、このチャネルを通り、音声コイル１４２０からの回路用電線１４２２は、ラウドスピーカ変換器１４００から外部に出る。底板１４３４もまた、底板１４３４の外周から内側に延伸する、放射状に配置された複数の底板スロット１４４１を含み得る。さらに、図２とは異なるが図１１に類似するように、この例のラウドスピーカ変換器１４００は、第１の磁石組立体１４２５内側の第１の磁石中心穴１４４２、上板１４０２内側の上板中心穴１４４４、第２の磁石組立体１４２６内側の第２の磁石中心穴１４４６、および底板１４３４内側の底板中心穴１４４８を含み得る。
【００９２】
図８に示すラウドスピーカ変換器８００の実施例を再度参照する、バッフル８１２の底面図を図１５に示す。図１１において前述したようにバッフル８１２は底面１１００を有し、この底面１１００は、環状外側上板８４２および環状外側永久磁石８３４各々の直径範囲をそれぞれが補完するように構成された一組の同心半径面１１０２および１１０４を含み得る。さらに、バッフル８１２の底面１１００に１つ以上の空気チャネル１５０２が形成され得、これは磁石空隙１０００からスピーカエンクロージャ（不図示）への音響穴となる。
【００９３】
本発明の一実施例では、ラウドスピーカ変換器の構造全体の厚さは３．５ｍｍ〜４ｍｍの範囲でもよい。これらのラウドスピーカ変換器の寸法は単なる一例として示され、前述の構造が種々のサイズおよび形状のスピーカシステムに組み込まれ得るが、本発明が前述の寸法に制限されず、所望の用途に基づいて異なり得ることを当業者は理解する。
【００９４】
概して、「に連結する」、「に連結するように構成される」、および「に固定される」などの用語（例えば、第１の構成部品は第２の構成部品「に連結する」、「に連結するように構成される」、または「に固定される」）は、２つ以上の構成部品または構成要素間の構造的、機能的、機械的、電気的、示唆的、光学的、磁気的、電磁気的、イオンまたは流体関係を示すために本明細書に用いられる。このように、１つの構成部品が第２の構成部品に連結するという事実は、それらの間にさらなる構成部品が存在し得、かつ／または機能的に第１の構成部品と第２の構成部品とが関連または係合している可能性を排除するようには意図されない。
【００９５】
前の記述は特定の種々の実施例のみを説明したが、本発明は前に説明した例に限定されない。添付の請求項により定義された本発明の種々のさらなる実施および変更が達成され得ることを当業者は理解する。特に、これらの特徴が互いに矛盾しない限り、記述した実施例の種々の特徴を組み合わせることが可能である。従って、前の実施例の記述は例証および説明を目的として提示される。この記述は包括的ではなく、請求項の範囲に記載した本発明を開示する正確な形態に限定されない。前述の記載を考慮してか、本発明の実施により変更および変形が達成され得る。請求項およびそれらの均等物が本発明の範囲を規定する。
【図１Ａ】
0006029846.tif 000002
【図１Ｂ】
0006029846.tif 000003
【図２】
0006029846.tif 000004
【図３】
0006029846.tif 000005
【図４Ａ】
0006029846.tif 000006
【図４Ｂ】
0006029846.tif 000007
【図５】
0006029846.tif 000008
【図６】
0006029846.tif 000009
【図７】
0006029846.tif 000010
【図８】
0006029846.tif 000011
【図９】
0006029846.tif 000012
【図１０Ａ】
0006029846.tif 000013
【図１０Ｂ】
0006029846.tif 000014
【図１１】
0006029846.tif 000015
【図１２】
0006029846.tif 000016
【図１３】
0006029846.tif 000017
【図１４】
0006029846.tif 000018
【図１５】
0006029846.tif 000019